(57)【要約】【課題】  圧縮機の許容圧力範囲での冷房連続を可能とし、空調フィーリングを向上させ得る空気調和装置を提供する。【解決手段】  冷媒を圧縮する圧縮機５、室外ファン９によって送られる室外気と熱交換される室外熱交換器７、膨張弁１１、および室内空気と熱交換される室内熱交換器１３を有する冷媒回路３と、外気温度を検出する外気温度検出器２７と、少なくとも圧縮機５の吐出圧に関係つけられる高圧圧力を検出する室外熱交温度検出器２９と、外気温度が一定時間第一所定温度よりも低下した場合に制御動作を開始する低外気冷房運転制御手段３１と、を備え、低外気冷房運転制御手段３１には、高圧圧力が第一所定圧力以下になると室外ファン９の回転数を低減させる室外ファン制御手段３７および圧縮機５の下限回転数を増加させる圧縮機回転数制御手段３９が備えられていることを特徴とする【選択図】      図１
2006234329.tif 000002
【特許請求の範囲】
【請求項１】
冷媒を圧縮する圧縮機、室外ファンによって送られる室外気と熱交換される室外熱交換器、膨張弁、および室内空気と熱交換される室内熱交換器を有する冷媒回路と、
外気温度を検出する外気温度検出手段と、
少なくとも前記圧縮機の吐出圧に関係付けられる高圧圧力を検出する高圧検出手段と、
前記外気温度が一定時間第一所定温度よりも低下した場合に制御動作を開始する低外気冷房運転制御手段と、を備え、
該低外気冷房運転制御手段には、前記高圧圧力が第一所定圧力以下になると前記室外ファンの回転数を低減させる室外ファン制御手段および前記圧縮機の下限回転数を増加させる圧縮機回転数制御手段が備えられていることを特徴とする空気調和装置。
【請求項２】
前記圧縮機回転数制御手段は、前記圧縮機の上限回転数を減少させるように構成されていることを特徴とする請求項１に記載の空気調和装置。
【請求項３】
前記圧縮機回転数制御手段は、前記外気温度が前記第一所定温度よりもさらに低下した場合に、前記下限回転数の増加および／または前記上限回転数の減少を一層大きくするように構成されていることを特徴とする請求項１または請求項２に記載の空気調和装置。
【請求項４】
前記室外ファン制御手段は、前記高圧圧力が前記第一所定圧力よりも高い第二所定圧力以上になると前記室外ファンの回転数を増加させるように構成されていることを特徴とする請求項１から請求項３のいずれかに記載の空気調和装置。
【発明の詳細な説明】
【技術分野】
【０００１】
本発明は、空気調和装置に関するものである。
【背景技術】
【０００２】
低外気温時に、冷房運転を行うような場合には、室外熱交換器の凝縮機能が高くなり、圧縮機の吐出圧を十分に得られない状態となる。このため、圧縮機の高低差圧が少なくなり、種々の不具合が生じ、圧縮機の信頼性が低下する恐れがあった。
これを解消するものとして、例えば、特許文献１に示されるものが提案されている。
これは外気温の状況に応じて室外ファンの回転速度を調整、すなわち、外気温が低いほど回転速度を低減させるようにして室外熱交換器の熱交換能力を低下させ、吐出圧の低下を緩和させるものである。
【０００３】
【特許文献１】特開平５−７１７９１号公報
【発明の開示】
【発明が解決しようとする課題】
【０００４】
ところで、低外気時に冷房運転した場合、高圧および低圧が下がる。低圧が下がると元に戻す力が小さくなるので、特許文献１に示されるもののように室外ファンの速度を低下させ室外熱交換器の熱交換能力を低下させる程度では不十分であるという問題があった。
このため、圧縮機の運転が許容圧力範囲を外れたところで行なわれ、圧縮機に悪影響を与える恐れがある。また、このような運転では室内熱交換器がフロスト域となる事態も発生し、その場合には保護制御が作用して圧縮機が停止される恐れが発生する。こうなると、空調が中断されるようになり、空調フィーリングが悪化するという問題があった。
【０００５】
本発明は、上記問題点に鑑み、圧縮機の許容圧力範囲での冷房連続を可能とし、空調フィーリングを向上させ得る空気調和装置を提供することを目的とする。
【課題を解決するための手段】
【０００６】
上記課題を解決するために、本発明は以下の手段を採用する。
すなわち、本発明にかかる空気調和装置は、冷媒を圧縮する圧縮機、室外ファンによって送られる室外気と熱交換される室外熱交換器、膨張弁、および室内空気と熱交換される室内熱交換器を有する冷媒回路と、外気温度を検出する外気温度検出手段と、少なくとも前記圧縮機の吐出圧に関係付けられる高圧圧力を検出する高圧検出手段と、前記外気温度が一定時間第一所定温度よりも低下した場合に制御動作を開始する低外気冷房運転制御手段と、を備え、該低外気冷房運転制御手段には、前記高圧圧力が第一所定圧力以下になると前記室外ファンの回転数を低減させる室外ファン制御手段および前記高圧圧力が第一所定圧力以下になると前記圧縮機の下限回転数を増加させる圧縮機回転数制御手段が備えられていることを特徴とする。
【０００７】
本発明によれば、低外気温時に冷房運転する場合、外気温度検出手段が測定する外気温度が一定時間にわたり第一所定温度よりも低下すると、低外気冷房運転制御手段が作動する。そして、圧縮機回転数制御手段が圧縮機の下限回転数を増加させる。圧縮機の下限回転数が増加すると、圧縮性能をある程度確保できるので、高低圧差をある程度設けることができる。また、同時に、室外ファン制御手段が室外ファンの回転数を低減させる。室外ファンの回転数が低減されると室外熱交換器における冷媒の放熱量が低下するので、低減しないものに比べて低圧を高くすることができる。
このように、室外ファンの回転数を低下させ低圧を引き上げ、圧縮機の回転数を確保して高低圧差をある程度以上に維持させることによって、高圧の水準を上げることができるので、特に制限の厳しい高圧を許容圧力範囲に収めることができ、圧縮機に悪影響を及ぼす恐れおよび圧縮機の停止の恐れを防止することができる。
このため、圧縮機の許容圧力範囲での冷房連続運転が可能となり、空調フィーリングを向上させることができる。
なお、高圧検出手段としては、圧縮機の吐出圧を直接検出する吐出圧検出器、高圧冷媒配管の温度を検出する室外熱交換温度検出器等が用いられる。温度検出器の場合には、その計測温度は、冷媒の飽和圧力を示すものとして取り扱うことになる。
【０００８】
前記圧縮機回転数制御手段は、前記高圧圧力が前記第一所定以下になると前記圧縮機の上限回転数を減少させるように構成されていることを特徴とする
【０００９】
このように、圧縮機回転数制御手段は、圧縮機の上限回転数を減少させるので、圧縮機がフル稼働した場合に高低圧差がついて低圧が低下し過ぎることを抑制することができる。
なお、低圧圧力の低下抑制としては、室内風量を最大風量に固定して室内空気からの吸熱量を増加させることを付加してもよい。
【００１０】
前記圧縮機回転数制御手段は、前記外気温度が前記第一所定温度よりもさらに低下した場合に、前記下限回転数の増加および／または前記上限回転数の減少を一層大きくするように構成されていることを特徴とする
【００１１】
このように、圧縮機回転数制御手段は、外気温度が第一所定温度よりも低下した場合に、下限回転数の増加および／または上限回転数の減少を一層大きくするので、さらに温度が低い低外気温度状況であっても、圧縮機の許容圧力範囲での冷房連続運転が可能となり、空調フィーリングを向上させることができる。
【００１２】
前記室外ファン制御手段は、前記高圧圧力が前記第一所定圧力よりも高い第二所定圧力以上になると前記室外ファンの回転数を増加させるように構成されていることを特徴とする
【００１３】
このように、室外ファン制御手段は、高圧圧力が第一所定圧力よりも高い第二所定圧力以上になると室外ファンの回転数を増加させるので、室外熱交換器での熱交換能力が増加し、高圧を低下させることができる。これにより、高圧の上限を許容圧力範囲に収めることができる。
【発明の効果】
【００１４】
本発明によれば、圧縮機の許容圧力範囲での冷房連続が可能となり、空調フィーリングを向上させることができる。
【発明を実施するための最良の形態】
【００１５】
以下、本発明にかかる第一実施形態の空気調和装置１について、図１〜図５を用いて説明する。
図１は、空気調和装置１の冷媒回路３の概略構成を示すブロック図である。
冷媒回路３には、圧縮機５と、室外熱交換器７と、室外ファン９と、膨張弁１１と、室内熱交換器１３と、室内ファン１５と、制御部１７と、が備えられている。
圧縮機５、室外熱交換器７、膨張弁１１および室内熱交換器１３は、冷媒配管１９によって接続されている。
圧縮機５は、吸引された低温低圧のガス冷媒を加圧して高温高圧のガス冷媒として室外熱交換器７側へ吐出するように構成されている。圧縮機５は圧縮機駆動部２１によって駆動される図示しない電気モータによって回転駆動される。
【００１６】
室外熱交換器７は、周囲に多数のプレート状フィンを備えた冷媒配管により構成されており、圧縮機５から送られる高温高圧のガス冷媒と室外気との熱交換を行い高温高圧の液冷媒とするものである。
室外ファン９は、プロペラ式のファンであり、室外熱交換器７の背面から前面へと抜ける空気流を生じさせることにより、新たな室外気を常に取り込んで、室外熱交換器７における熱交換効率の向上を図るために設けられている。
室外ファン９は、外ファンモータ２３によって回転駆動される。外ファンモータの回転数は外ファンタップ２５によって３段階に調整されるように構成されている。なお、外ファンタップ２５による調整段数は必要に応じて適宜段階数に設定することができる。
【００１７】
室外熱交換器７の近くに外気温度を測定する外気温度検出器（外気温度検出手段）２７が設けられている。
また、室外熱交換器７には室外熱交温度検出器（高圧圧力検出手段）２９が設けられている。室外熱交温度検出器２９は室外熱交換器７の冷媒配管の温度を測定し、この温度を冷媒の飽和温度とみなし圧力を推定できる。
室外熱交温度検出器２９の換わりに、設置されていれば吐出圧力を検出する吐出圧検出器を用いてもよいし、あるいは圧力検出器を用いてもよい。
【００１８】
膨張弁１１は、室外熱交換器７からの高温高圧の液冷媒を絞って低温低圧の液冷媒とし、室内熱交換器１３へ供給する。
室内熱交換器１３は、周囲に多数のプレート状フィンを備えた冷媒配管により構成されており、膨張弁１１から送られる低温低圧の液冷媒と室内気との熱交換を行うものである。
低温低圧の液冷媒は、室内熱交換器１３を通過する室内気により熱量を与えられ蒸発し、低温低圧のガス冷媒となり、圧縮機５の吸入側へ送られる。反対に、室内気は冷媒の潜熱によって熱を奪われ、冷却されることになる。
【００１９】
室内ファン１５は、室内熱交換器１３の背後に配置されたクロスフローファンであり、複数枚の羽根を環状配置させて円筒を構成し、この円筒をその軸線方向（図１の紙面垂直方向）の複数箇所において軸線に垂直をなす間板により補強した構成を有している。なお、各羽根は、前記軸線を中心として互いに等ピッチ角度間隔を空けて配置されている。
室内ファン１５が回転することによって室内熱交換器１３の前面に設けられた図示を省略した吸入口から室内の空気を取り入れ、室内熱交換器１３を通って冷却された空気を図示しない吹出口から室内へ吹き出すように構成されている。
【００２０】
制御部１７は、空気調和装置１の運転を制御するものである。制御部１７には、低外気冷房運転制御手段３１が設けられている。
図２は、低外気冷房運転制御手段３１の概略構成を示すブロック図である。
低外気冷房運転制御手段３１には、温度条件判定手段３３と、条件判定タイマ３５と、室外ファン制御手段３７と、圧縮機回転数制御手段３９とが設けられている。
温度条件判定手段３３は、外気温度検出器２７からの検出値を受け、それに基づいて低外気冷房運転制御の要否を判定するものである。
温度条件判定手段３３は、例えば、外気温度が２２℃以下になったと判断すると、室外ファン制御手段３７および圧縮機回転数制御手段３９に制御開始信号を送って制御を開始させ、一方、外気温度が上昇して、例えば、２５℃を超えたと判断すると、制御を解除させる制御解除信号を送信する。
条件判定タイマ３５は、制御開始条件である一定時間、例えば、３０秒間を計時するものである。条件判定タイマ３５は、温度条件判定手段３３、室外ファン制御手段３７および圧縮機回転数制御手段３９によって必要に応じてセットされるように構成されている。
【００２１】
室外ファン制御手段３７には、データおよび信号の入出力を行なうファン入出力部４１と、データ処理を行なうファン処理部４３と、データを格納するファン記憶部４５と、制御動作の継続時間を計時するサンプリングタイマ４７とが設けられている。
圧縮機回転数制御手段３９には、データおよび信号の入出力を行なう圧縮機入出力部４９と、データ処理を行なう圧縮機処理部５１と、データを格納する圧縮機記憶部５３と、が設けられている。
なお、本実施形態では、室外ファン制御手段３７あるいは圧縮機回転数制御手段３９で別個に処理部、記憶部、入出力部を備えているが、これは共通化してもよい。
【００２２】
以上説明した本実施形態にかかる空気調和装置１の低外気温度時における低外気冷房運転制御手段３１の制御動作について図３〜図５に示すフローに基づいて説明する。
図３は室外ファン制御のフローを示し、図４および図５は圧縮機回転数制御のフローを示している。
最初に低外気冷房運転制御手段３１によるファン制御動作、主として室外ファン制御手段３７の制御動作について説明する。
低外気冷房運転制御手段３１は、冷房運転が開始される（Ｓ０）と、まず、圧縮機５が運転中であるか判定する（Ｓ１）。運転中でない（Ｎｏ）場合は、条件判定タイマ３３を、例えば３０秒とセットし（Ｓ２）、サンプリングタイマ４７を、例えば６０秒とセットし（Ｓ３）、制御外ファンタップ（ＣＬＦＡＮ）を３とセットし（Ｓ４）、制御動作を行なわない。
【００２３】
制御外ファンタップ（ＣＬＦＡＮ）は、外ファンタップ２５の制御信号を意味し、本実施形態の場合、外ファンタップ２５は３段階の速度制御区分であるので、低速側から高速側、”１”、”２”、”３”と区分している。ステップＳ４では、”３”すなわち最高速に設定することになる。
これは、条件判定タイマ３３、サンプリングタイマ４７および制御外ファンタップの初期設定を行なうことになる。
圧縮機５が運転中（Ｙｅｓ）であれば、温度条件判定手段３３によって外気温度検出器２７から送られる外気温度が制御を行なう温度、例えば、２２℃以下であるか判定する（Ｓ５）。
【００２４】
外気温度が２２℃以上（ＯＦＦ条件）であれば、条件判定タイマ３３を、例えば３０秒とセットし、サンプリングタイマ４７を、例えば６０秒とセットし、制御外ファンタップ（ＣＬＦＡＮ）を３とセットし、制御動作を行なわない。
外気温度が２２℃以下（ＯＮ条件）であれば、条件判定タイマ３３の時間を判定する（Ｓ６）。
条件判定タイマ３３が、３０秒未満であれば、サンプリングタイマ４７を、例えば６０秒とセットし（Ｓ３）、制御外ファンタップ（ＣＬＦＡＮ）を３とセットし（Ｓ４）、制御動作は行なわない。
【００２５】
条件判定タイマ３３が、３０秒経過していれば、サンプリングタイマ４７の時間を判定する（Ｓ７）。サンプリングタイマ４７が、サンプリングタイム未満であれば、制御動作を行なわない。サンプリングタイマ４７が、サンプリングタイムを経過していれば、ファン駆動モードを判定する（Ｓ８）。
ファン駆動モード判定は、室外熱交温度検出器２９の検出値により判定されるものである。室外熱交温度が、例えば２２℃（第一所定圧力）以下は、外ファンダウンモード”０”と、２２℃〜４０℃では保持モード”１”と、４０℃（第二所定圧力）を超えると、外ファンアップモード”２”と判定される。
【００２６】
モード判定に引き続き、室外ファン制御手段３７は、ファン駆動モードに対応して次のような制御動作を行なう。
ファン駆動モードが”０”、すなわち外ファンダウンモードであれば、制御外ファンタップＣＬＦＡＮから１を引いた値を新しい制御外ファンタップＣＬＦＡＮとする（Ｓ９）。
次いで、この制御外ファンタップＣＬＦＡＮが１未満か判定し（Ｓ１０）、１未満の場合（Ｙｅｓ）には、制御外ファンタップＣＬＦＡＮを１に設定する（Ｓ１１）。
１以上の場合（Ｎｏ）およびステップＳ１１で１と設定された場合には、サンプリングタイマ４７を、例えば６０秒とセットする（Ｓ１２）。
そして、制御外ファンタップＣＬＦＡＮは外ファンタップ２１に制御信号として伝送され、外ファンタップ２５の段階を１段階増加するように変更する（Ｓ１３）。
これにより、室外ファン７の回転速度は低減されることになる。
【００２７】
ステップＳ１２で、サンプリングタイムを６０秒とセットしたので、外ファンタップ２５は、ステップＳ７の条件がサンプリングタイム経過になるまで少なくとも６０秒間この設定を維持することになる。
６０秒経過して、ステップＳ８のファン駆動モードの判定で、圧力状態が改善されず、”０”と判定されると、制御外ファンタップＣＬＦＡＮはさらに１段階下げられることになる。
本実施形態の場合、外ファンタップ２５の速度は３段階に区分されていたので、少なくとも２回目には、最低速の設定になるが、外ファンタップ２５の速度区分は必要に応じて設定すればよく、その場合には外ファンダウンモードが数回繰り返されることもある。
【００２８】
ファン駆動モードが”１”、すなわち保持モードであれば、サンプリングタイマ４７を、例えば、２０秒とセットし（Ｓ１４）、変更されない制御外ファンタップＣＬＦＡＮが外ファンタップ２５に伝送される。
ファン駆動モードが”２”、すなわち外ファンアップモードであれば、制御外ファンタップＣＬＦＡＮが３未満か、すなわち最大速度でないかを判定し（Ｓ１５）、３未満の場合（Ｙｅｓ）には、制御外ファンタップＣＬＦＡＮに１を加えた値を新しい制御外ファンタップＣＬＦＡＮと設定する（Ｓ１６）。
３以上、すなわち３の場合（Ｎｏ）およびステップＳ１５で設定された場合には、サンプリングタイマ４７を、例えば６０秒とセットする（Ｓ１２）。
そして、制御外ファンタップＣＬＦＡＮは外ファンタップ２１に制御信号として伝送され、外ファンタップ２５の段階を１段階増加するように変更する（Ｓ１３）。
これにより、室外ファン７の回転速度は増加されることになる。
【００２９】
このように、室外ファン９は、室外熱交温度検出器２７の温度が２２℃以下、すなわち高圧が低い時、回転数が低減されるので、室外熱交換器７における冷媒の放熱量が低減されることになる。このため、速度変更前に比べて高温を維持した状態で冷媒配管１９を流れるので、圧縮機５に吸入される低圧が比較的高く維持される。
室外ファン制御手段３７は、室外熱交温度検出器が４０℃になると室外ファン９の回転数を増加させるので、室外熱交換器７での熱交換能力が増加し、高圧を低下させることができる。これにより、高圧の上限を許容圧力範囲に収めることができる。
【００３０】
次いで、低外気冷房運転制御手段３１による圧縮機制御動作、主として圧縮機回転数制御手段３９の制御動作について図４および図５に基づいて説明する。
低外気冷房運転制御手段３１は、冷房運転が開始される（Ｓ０）と、まず、圧縮機５が運転中であるか判定する（Ｓ１）。運転中でない（Ｎｏ）場合は、制御ステータスＳＴを”０”と設定し、制御動作を行なわない。
なお、制御ステータスＳＴは、判定時点で制御が行われているモードであり、制御動作が行われていない通常運転中を”０”とし、制御を行なうか条件判定中を”１”とし、制御中を”２”として区分されている。
【００３１】
圧縮機５が運転中（Ｙｅｓ）であれば、温度条件判定手段３３によって外気温度検出器２７から送られる外気温度が制御を行なう温度、例えば、２２℃（第一所定温度）以下であるか判定する（Ｓ１８）。
ステップＳ１８では、後述する上限回転数および下限回転数の設定に当たり、２２℃よりも低温の０℃にも判定基準を置いている。すなわち、０℃以下になった時の上限回転数および下限回転数の設定値は、２２℃以下になった時の上限回転数および下限回転数の設定値よりも上限回転数は小さく、下限回転数は大きく設定されるようにしている。
【００３２】
ここで、温度条件判定手段３３の判定結果が、外気温度が２２℃以上（ＯＦＦ条件）であれば、制御ステータスＳＴを”０”と設定し、制御動作を行なわない。
他方、外気温度が２２℃以下（ＯＮ条件）であれば、現在の制御ステータスＳＴが”０”でないか判定し（Ｓ１９）、”０”でない（Ｙｅｓ）であれば、そのままで制御動作を行なわない。
”０”の場合（Ｎｏ）には、条件判定タイマ３５を、例えば、３０秒と設定する（Ｓ２０）。
次いで、制御ステータスＳＴを”１”（条件判定中）と設定する（Ｓ２１）。
そして、制御ステータスＳＴが”１”か否かを判定し（Ｓ２２）、そうである場合（Ｙｅｓ）には、条件判定タイマ３５の時間をチェックする（Ｓ２３）。条件判定タイマ３５の計時が３０秒を経過している場合、制御ステータスＳＴを”２”（制御中）と設定する（Ｓ２４）。
【００３３】
ステップＳ２２がＮｏの場合、およびステップＳ２３で３０秒未満の場合には、ステップ２４をバイパスされる。言い換えると、制御動作が行なわれない。
以上、説明したような処理ステップを実行することにより、外気温度が２２℃以下の状態が３０秒間以上継続した場合に圧縮機回転数を制御するシーケンスに移行するように管理できる。
【００３４】
以下、図５に基づいて、具体的な圧縮機回転数制御手段３９の制御動作について詳細に説明する。
まず、制御を行なうものかどうか（ＳＴ＝２？）を判定する（Ｓ２５）。
ＳＴ＝２でない場合（Ｎｏ）は、制御動作は実施されない。
ＳＴ＝２の場合（Ｙｅｓ）には、圧縮機記憶部５３に格納された圧縮機５の上限回転数ｆＭＡＸおよび下限回転数ｆＭＩＮが設定される（Ｓ２６）。
本実施形態では、上限回転数ｆＭＡＸおよび下限回転数ｆＭＩＮの組み合わせを２組用いるようにされている。この２組は、外気温度によって使い分けされる。すなわち、外気温度が２２℃〜０℃までは、上限回転数ｆＭＡＸは６０ｒｐｓ（回／秒）、下限回転数ｆＭＩＮは２０ｒｐｓが用いられ、外気温度が０℃以下になると、上限回転数ｆＭＡＸは５０ｒｐｓ（回／秒）と低減され、下限回転数ｆＭＩＮは３０ｒｐｓと増加されたものが用いられる。
これらの上限回転数ｆＭＡＸの設定値は、通常運転中の上限回転数よりも小さく設定され、
下限回転数ｆＭＩＮの設定値は、通常運転中の下限回転数よりも大きく設定されている。
なお、上限回転数あるいは下限回転数の設定は、階段状ではなく、漸減あるいは漸増されるように設定してもよい。
【００３５】
次に、圧縮機回転数制御手段３９は、図示しない圧縮機５の駆動制御部から伝送された圧縮機５の指令回転数ｆＲが設定された上限回転数ｆＭＡＸよりも大きいか判定し（Ｓ２７）、大きい場合（Ｙｅｓ）には、上限回転数ｆＭＡＸを指令回転数ｆＲとして、圧縮機駆動部２５へ供給する。
小さい場合（Ｎｏ）には、そのまま次ステップに移行する。
次いで、指令回転数ｆＲが０（停止指令）でないか判定し（Ｓ２９）、停止指令でない場合（Ｙｅｓ）には、指令回転数ｆＲが下限回転数ｆＭＩＮよりも小さいか判定し（Ｓ３０）、小さい場合（Ｙｅｓ）には、下限回転数ｆＭＩＮを指令回転数ｆＲとして、圧縮機駆動部２５へ供給する。上限回転数ｆＭＡＸと下限回転数ｆＭＩＮとの間に位置する回転数のものは、ステップ３０で、Ｎｏとなり、指令回転数ｆＲは変更されることなく圧縮機駆動部２５へ供給される。
【００３６】
このように、本実施形態では、圧縮機回転数制御手段３９が圧縮機５の下限回転数ｆＭＩＮを増加させる。圧縮機５の下限回転数ｆＭＩＮが増加すると、回転数がそれ以上低下しないので、圧縮性能はある程度確保できる。このため、圧縮機５の高低圧差をある程度設けることができる。
また、圧縮機回転数制御手段３９は、圧縮機５の上限回転数ｆＭＡＸを減少させるので、圧縮機がフル稼働した場合に高低圧差がついて低圧が低下し過ぎることを抑制することができる。
なお、低圧圧力の低下抑制としては、室内ファン１５の風量を最大風量に固定して室内空気からの吸熱量を増加させることを付加して行ってもよい。
【００３７】
さらに、圧縮機回転数制御手段３９は、外気温度が０℃以下に低下した場合に、下限回転数ｆＭＩＮを一層増加させ、上限回転数ｆＭＡＸを一層減少させているので、一層低外気温度が著しい状況であっても、圧縮機５の許容圧力範囲での冷房連続運転が可能となり、空調フィーリングを向上させることができる。
【００３８】
このように、本実施形態では、室外ファン９の回転数を低下させ圧縮機５の低圧を引き上げ、圧縮機５の下限回転数ｆＭＩＮを確保して高低圧差をある程度以上に維持させているので、圧縮機５の高圧の水準を上げることができる。このため、特に制限の厳しい高圧を許容圧力範囲に収めることができ、圧縮機に悪影響を及ぼす恐れおよび圧縮機の停止の恐れを防止することができる。
このため、圧縮機の許容圧力範囲での冷房連続運転が可能となり、空調フィーリングを向上させることができる。
【００３９】
なお、本発明の適用は本実施形態に限定されることなく、パッケージエアコン、車両用空調機等種々の機種に適用されるものである。
【図面の簡単な説明】
【００４０】
【図１】本発明の一実施形態にかかる空気調和装置の冷媒回路の概略構成を示すブロック図である。
【図２】本発明の一実施形態にかかる露付防止制御手段の概略構成を示すブロック図である。
【図３】本発明の一実施形態にかかる室外ファン制御手段の処理フローを示すフロー図である。
【図４】本発明の一実施形態にかかる圧縮機回転数制御手段処理フローを示すフロー図である。
【図５】本発明の一実施形態にかかる圧縮機回転数制御手段処理フローを示すフロー図である。
【符号の説明】
【００４１】
１  空気調和装置
３  冷媒回路
５  圧縮機
７  室外熱交換器
９  室外ファン
１１  膨張弁
１３室内熱交換器
２７  外気温度検出器
２９  室外熱交温度検出器
３１  低外気冷房運転制御手段
３７  室外ファン制御手段
３９  圧縮機回転数制御手段
【図１】
2006234329.tif 000003
【図２】
2006234329.tif 000004
【図３】
2006234329.tif 000005
【図４】
2006234329.tif 000006
【図５】
2006234329.tif 000007